(57)【特許請求の範囲】
【請求項１】
スタートレバーの操作に連動して揺動する遮光体と、該遮光体の両側に発光部と受光部とを配した光学式センサとを組み合わせてなり、発光部から受光部へ向けて照射する検出光が前記遮光体の揺動位置に応じて透過状態と遮断状態とに切り替わるスロットマシンのスタートレバー操作検出装置において、
前記遮光体は、レバー操作の衝撃により遮蔽体本体に対して位置を変更する可動部を含むこと、
を特徴とするスロットマシンのスタートレバー操作検出装置。
【請求項２】
請求項１に記載のスタートレバー操作検出装置において、
前記可動部は、前記遮蔽体本体に嵌合した構造をしていること、
を特徴とするスロットマシンのスタートレバー操作検出装置。
【請求項３】
請求項１又は請求項２に記載のスタートレバー操作検出装置において、
前記遮蔽体本体は、前記スタートレバーのレバーシャフトと一体に細い軸状に形成されていること、
を特徴とするスロットマシンのスタートレバー操作検出装置。
【発明の詳細な説明】
【技術分野】
【０００１】
この発明は、スタートレバーの操作タイミングに対してその検出タイミングが常に一定にならないようにしたスロットマシンのレバー操作検出装置に関する。
【背景技術】
【０００２】
スロットマシンは、スタートレバーを操作してゲームが開始されるが、その時点で乱数抽選により入賞の種類及び成否が決められる。乱数抽選の結果には周期性があるので、スタートレバーの操作タイミングを特定の周期に同調させると、入賞の確率が向上するという傾向がある。このことを悪用した不正遊技に、脈動を発生するソレノイドや低周波治療器を用いてスタートレバーを操作させることで不正に入賞確率を向上させるという行為がある。
【０００３】
上記不正遊技の防止策として、乱数抽選の周期が一定にならないように制御プログラムを変更する方法や、スタートレバーの復帰スプリングの張力を強くしてソレノイドや低周波治療器の弱い力ではスタートレバーを操作できないようにする方法等が考えられてきた。
【特許文献１】特開２００１−２９５８０号公報
【特許文献２】特開２００１−３７９５５号公報
【発明の開示】
【発明が解決しようとする課題】
【０００４】
しかしながら、前者の防止策は、制御プログラムが複雑化することにより様々な面でコスト高につながるという問題点があり、また後者の防止策は、スタートレバーの操作に力が要るため長時間遊技を続けると疲れるという問題点がある。本発明は、スタートレバーの操作タイミングに対してその検出タイミングが常に一定にならないようにすることを可能にし、あまりコストをかけずに不正遊技の防止を達成することを課題としている。
【課題を解決するための手段】
【０００５】
上記課題を解決するために、本発明は次の構成とした。すなわち、本発明にかかるスロットマシンのレバー操作検出装置は、スタートレバーの操作に連動して揺動する遮光体と、該遮光体の両側に発光部と受光部とを配した光学式センサとを組み合わせてなり、発光部から受光部へ向けて照射する検出光が前記遮光体の揺動位置に応じて透過状態と遮断状態とに切り替わるスロットマシンのスタートレバー操作検出装置において、前記遮光体は、レバー操作の衝撃により遮蔽体本体に対して位置を変更する可動部を含むことを特徴としている。
請求項２に係る本発明のスロットマシンのスタートレバー操作検出装置は、請求項１に記載のスタートレバー操作検出装置において、前記可動部は、前記遮蔽体本体に嵌合した構造をしていることを特徴とする。
請求項３に係る本発明のスロットマシンのスタートレバー操作検出装置は、請求項１又は請求項２に記載のスタートレバー操作検出装置において、前記遮蔽体本体は、前記スタートレバーのレバーシャフトと一体に細い軸状に形成されていることを特徴とする。
【０００６】
この構成であると、スタートレバーを操作するたびに遮光体本体に対する可動部の位置が異なり、スタートレバーの操作タイミングに対してその検出タイミングが常に一定にならない。乱数抽選は高速で変動しているので、検出タイミングを少し狂わすだけで、スタートレバーの操作タイミングを特定の周期に同調させることを防止できる。
【発明の効果】
【０００７】
本発明のスタートレバー操作検出装置は、一部の部品を変更するだけで、スタートレバーの操作タイミングに対してその検出タイミングが常に一定にならないようにすることが可能であるので、あまりコストをかけずにスロットマシンでの不正遊技を防止できるようになった。
【発明を実施するための最良の形態】
【０００８】
本発明の好ましい実施の形態として、図１乃至図５に実施例１、図６乃至図１０に実施例２，及び図１１乃至図１３に実施例３を例示する。
【実施例１】
【０００９】
実施例１のスタートレバー操作検出装置１Ａは、スタートレバー２が支点ピン３を支点にして上下に回動自在にレバーホルダー４に取り付けられ、該スタートレバー２と一体のレバーシャフト５の先端部が遮光体６Ａとなっている。
【００１０】
レバーシャフト５の外周部には摺動体７が摺動自在に嵌合し、この摺動体７と固定リング８との間にレバー復帰スプリング９が介装されている。スタートレバー２を下方に回動操作すると、摺動体７の上部がレバーホルダー４の背面部に押されてレバー復帰スプリング９が圧縮され（図３参照）、スタートレバー２の回動操作を停止すると、レバー復帰スプリング９の弾発力によりスタートレバー２が元の水平位置に復帰するようになっている（図１参照）。上記スタートレバー２の操作に連動して遮光体６Ａが上下に揺動する。
【００１１】
レバーホルダー４の背面側には光学式センサ１０が取り付けられる。取付状態において、光学式センサ１０の発光部１１と受光部１２とが遮光体６Ａの左右両側に位置する。
【００１２】
実施例１の遮光体６Ａは、レバーシャフト５と一体に形成された細い軸状の遮蔽体本体１３の外周部に、外形略三角形の可動部１４が嵌合した構造をしている。遮蔽体本体１３が嵌合する可動部１４の孔１４ａの内径は遮蔽体本体１３の直径よりもかなり大きいため、スタートレバー２の操作による衝撃で、可動部１４が遮蔽体本体１３に対して上下動したり、可動部１４が遮蔽体本体１３回りに回転したりする。
【００１３】
図１に示す静止状態では、遮蔽体６Ａが発光部１１及び受光部１２と同じ高さにある。このため、図１（ｂ）に示すように可動部１４の頂点が上を向いている状態であっても、図２に示すように可動部１４の頂点が下を向いている状態であっても、発光部１１から照射された検出光が遮光体６Ａに遮られて受光部１２に到達しない。すなわち、光学式センサ１０の出力がＯＦＦである。
【００１４】
図３に示すようにスタートレバー２を下方に回動操作すると、遮蔽体６Ａが上動して、発光部１１からの検出光が受光部１２に到達するようになる。すなわち、光学式センサ１０の出力がＯＮになる。ただし、出力ＯＮになるタイミングは、図３（ｂ）に示すように可動部１４の頂点が上を向いている状態と、図４に示すように可動部１４の頂点が下を向いている状態とでは異なり、遮光体本体１３から可動部１４の下端までの距離が短い前者の方が早くＯＮになる。
【００１５】
可動部１４の状態はスタートレバー２の操作による衝撃で変わるので、スタートレバー２を操作するごとに、その検出タイミングが影響を受ける。また、スタートレバー２の操作による衝撃で可動部１４が遮蔽体本体１３に対して上下動するので、可動部１４の状態が同じであっても、操作タイミングに対する検出タイミングは必ずしも一定でない。
【実施例２】
【００１６】
実施例２のスタートレバー操作検出装置１Ｂは、ほとんど実施例１と同じ構成で、遮光体だけが実施例１と異なっている。構成が同じ箇所については同一符号で表示し、説明は省略する。なお、図６は図１に、図７は図２に、図８は図３に、図９は図４に、図１０は図５にそれぞれ対応している。
【００１７】
スタートレバー操作検出装置１Ｂの遮光体６Ｂは、レバーシャフト５と一体に形成された遮蔽体本体１５の二股状後端部に、細長い板状の可動部１６が左右方向の軸１７回りに回転自在に取り付けられている。軸１７が嵌合する可動部１６の孔１６ａの内径は軸１７の直径に比べて大きいため、スタートレバー２の操作による衝撃で、可動部１６が遮蔽体本体１５に対して上下動したり、可動部１６が軸１７回りに回転したりする。
【００１８】
図６に示す静止状態では、遮蔽体６Ｂが発光部１１及び受光部１２と同じ高さにある。このため、図６（ｂ）に示すように可動部１６が縦向きになっている状態であっても、図７に示すように可動部１６が横向きになっている状態であっても、発光部１１から照射された検出光が遮光体６Ｂに遮られて受光部１２に到達しない。すなわち、光学式センサ１０の出力がＯＦＦである。
【００１９】
図８に示すようにスタートレバー２を下方に回動操作すると、遮蔽体６Ｂが上動して、発光部１１からの検出光が受光部１２に到達するようになる。すなわち、光学式センサ１０の出力がＯＮになる。ただし、出力ＯＮになるタイミングは、図８（ｂ）に示すように可動部１６が縦向きになっている状態と、図９に示すように可動部１６が横向きになっている状態とでは異なり、遮光体６Ｂの前後長が短い後者の方が早くＯＮになる。
【００２０】
可動部１６の状態はスタートレバー２の操作による衝撃で変わるので、スタートレバー２を操作するごとに、その検出タイミングが影響を受ける。また、スタートレバー２の操作による衝撃で可動部１６が遮蔽体本体１５に対して上下動するので、可動部１６の状態が同じであっても、操作タイミングに対する検出タイミングは必ずしも一定でない。
【実施例３】
【００２１】
実施例３のスタートレバー操作検出装置１Ｃも、スタートレバー２が支点ピン３を支点にして上下に回動自在に設けられている。スタートレバー２は、下向きに操作するようになっており（図１２参照）、操作後に指を離すとレバー復帰スプリング２０の弾発力により元の位置に復帰するようになっている（図１１参照）。
【００２２】
このスタートレバー操作検出装置１Ｃの遮光体６Ｃは、スタートレバー２と上下方向に幅広い板状の遮光体本体２１を一体に取り付け、その遮光体本体２１の後端部に形成された穴２２に可動部２３を引っ掛けて吊り下げた構成になっている。そして、当該遮光体６Ｃの左右両側に、光学式センサ１０の発光部１１と受光部１２とが配置されている。穴２２の下縁は側面視で凸凹になっているため、可動体２３の引っ掛かっている位置によって該可動部２３の角度が変わる。また、可動部２３の下縁も側面視で凸凹になっており、可動部２３の角度によって遮光体６Ｃの下端から検出光の通過位置２４までの距離ｄ１，ｄ２が異なる。
【００２３】
図１１に示す静止状態では、発光部１１から照射された検出光が遮光体６Ｃによって遮られて受光部１２に到達せず、光学式センサ１０の出力がＯＦＦになっている。図１２に示すようにスタートレバー２を下方に回動操作すると、遮光体６Ｃが上動して、発光部１１からの検出光が受光部１２に到達するようになり、光学式センサ１０の出力がＯＮになる。可動部２３下縁の中央凸部２３ａの位置が検出光の通過位置に対してずれている場合（図１２）と、合致している場合（図１３）とでは、静止状態における遮光体６Ｃの下端から検出光の通過位置２４までの距離が異なる（ｄ１＞ｄ２）ため、操作タイミングに対する検出タイミングが両者で異なる。
【００２４】
可動部２３の状態はスタートレバー２の操作による衝撃で変わるので、スタートレバー２を操作するごとに、その検出タイミングが影響を受ける。また、スタートレバー２の操作による衝撃で可動部２３が遮蔽体本体２１に対して上下動するので、可動部２３の状態が同じであっても、操作タイミングに対する検出タイミングは必ずしも一定でない。
【産業上の利用可能性】
【００２５】
この発明は、主としてスロットマシンのゲーム始動用スタートレバーの操作を検出する装置に関するものであるが、スロットマシンのスタートレバーに限らず、操作タイミングに対する検出タイミングがランダムであるのが好ましい他のレバーにも適用できる。
【図面の簡単な説明】
【００２６】
【図１】スタートレバー操作検出装置の（ａ）断面図、及び（ｂ）Ｓ１−Ｓ１断面図である。（実施例１）
【図２】異なる状態を示すＳ１−Ｓ１断面図である。（実施例１）
【図３】図１とは異なる状態のスタートレバー操作検出装置の（ａ）断面図、及び（ｂ）Ｓ２−Ｓ２断面図である。（実施例１）
【図４】異なる状態を示すＳ２−Ｓ２断面図である。（実施例１）
【図５】スタートレバー操作検出装置の分解斜視図である。（実施例１）
【図６】スタートレバー操作検出装置の（ａ）断面図、及び（ｂ）Ｓ３−Ｓ３断面図である。（実施例２）
【図７】異なる状態を示すＳ３−Ｓ３断面図である。（実施例２）
【図８】図６とは異なる状態のスタートレバー操作検出装置の（ａ）断面図、及び（ｂ）Ｓ４−Ｓ４断面図である。（実施例２）
【図９】異なる状態を示すＳ４−Ｓ４断面図である。（実施例２）
【図１０】スタートレバー操作検出装置の分解斜視図である。（実施例２）
【図１１】レバー操作検出装置の（ａ）断面図、及び（ｂ）Ｓ５−Ｓ５断面図である。（実施例３）
【図１２】図１１とは異なる状態のスタートレバー操作検出装置の（ａ）断面図、及び（ｂ）Ｓ６−Ｓ６断面図である。（実施例３）
【図１３】図１１及び図１２とは異なる状態のスタートレバー操作検出装置の（ａ）断面図、及び（ｂ）Ｓ７−Ｓ７断面図である。（実施例３）
【符号の説明】
【００２７】
１Ａ，１Ｂ，１Ｃ  スタートレバー操作検出装置
２  スタートレバー
４  レバーホルダー
５  レバーシャフト
６Ａ，６Ｂ，６Ｃ  遮蔽体
１０  光学式センサ
１１  発光部
１２  受光部
１３，１５，２１  遮蔽体本体
１４，１６，２３  可動部
【図１】
0003708096.tif 000002
【図２】
0003708096.tif 000003
【図３】
0003708096.tif 000004
【図４】
0003708096.tif 000005
【図５】
0003708096.tif 000006
【図６】
0003708096.tif 000007
【図７】
0003708096.tif 000008
【図８】
0003708096.tif 000009
【図９】
0003708096.tif 000010
【図１０】
0003708096.tif 000011
【図１１】
0003708096.tif 000012
【図１２】
0003708096.tif 000013
【図１３】
0003708096.tif 000014